(57)【要約】    【課題】  全体の構造を簡単かつ小型化でき、しかも操作レバーが極力邪魔にならず、設置スペースを少なくできるようにする。    【解決手段】  複数個の可動ルーバー９の内の何れかに操作レバー１２を固定し、支軸１０廻りの円周上に周方向に所定間隔をおいて複数個の被係合部３５を有する固定板３２を設け、操作レバー１２に支軸１０と略平行に保持筒３３を設け、保持筒３３内に、支軸１０と略平行な方向から被係合部３５に係脱自在に係合する係合具３４と、係合具３４の外周に套嵌され且つ係合具３４を係合方向に付勢するコイルバネ３６とを設け、保持筒３３に対して固定板３２と反対側で係合具３４の軸心上に、係合具３４をその軸心方向に係脱操作するための操作摘まみ３７を設ける。【選択図】    図１
2006274558.tif 000002
【特許請求の範囲】
【請求項１】
操作レバー（１２）の回動操作により、複数個の可動ルーバー（９）をその支軸（１０）廻りに開閉するようにした可動ルーバーの開閉装置において、複数個の前記可動ルーバー（９）の内の何れかに前記操作レバー（１２）を固定し、前記支軸（１０）廻りの円周上に周方向に所定間隔をおいて複数個の被係合部（３５）を有する固定板（３２）を設け、前記操作レバー（１２）に前記支軸（１０）と略平行に保持筒（３３）を設け、該保持筒（３３）内に、前記支軸（１０）と略平行な方向から前記被係合部（３５）に係脱自在に係合する係合具（３４）と、該係合具（３４）の外周に套嵌され且つ該係合具（３４）を係合方向に付勢するコイルバネ（３６）とを設け、前記保持筒（３３）に対して前記固定板（３２）と反対側で前記係合具（３４）の軸心上に、該係合具（３４）をその軸心方向に係脱操作するための操作摘まみ（３７）を設けたことを特徴とする可動ルーバーの開閉装置。
【請求項２】
前記可動ルーバー（９）の端部に装着されたホルダー（１６）よりも内側で且つ該ホルダー（１６）の近傍において前記可動ルーバー（９）の後側面に前記操作レバー（１２）を固定したことを特徴とする請求項１に記載の可動ルーバーの開閉装置。
【請求項３】
前記可動ルーバー（９）の両側に、前記各可動ルーバー（９）を連動させる連動杆（１３）を設けたことを特徴とする請求項１又は２に記載の可動ルーバーの開閉装置。
【請求項４】
前記可動ルーバー（９）の左右両端部に位置変更可能な取り付けブラケット（５４）と、該取り付けブラケット（５４）に左右反転して取り付け可能な前記操作レバー（１２）と、固定側に左右反転して取り付け可能な前記固定板（３２）とを含むことを特徴とする請求項１〜３の何れかに記載の可動ルーバーの開閉装置。
【発明の詳細な説明】
【技術分野】
【０００１】
本発明は、フェンス、間仕切り、雨戸、ドアー、窓等に使用可能な可動ルーバーの開閉装置に関するものである。
【背景技術】
【０００２】
可動ルーバー装置は、上下方向に等間隔をおいて略平行に配置された複数個の可動ルーバーを、その左右両側の各縦框に支軸を介して回動自在に枢支すると共に、各可動ルーバーを連動させる連動杆を設け、操作レバーにより連動杆を介して各可動ルーバーを開閉するようになっている。
【０００３】
この種の可動ルーバー装置には、開状態と閉状態との間で各可動ルーバーの角度を段階的に調整できるように開閉装置が設けられている。そして、この開閉装置には、従来、操作レバーの近傍に、その回動中心廻りの円周上に周方向に所定間隔をおいて複数個の被係合部が内向きに形成された固定板を設け、操作レバーをその長手方向に押し引き操作可能にして、この操作レバーの押し引き操作により係合具を固定板の被係合部に係脱自在に係合させるもの（特許文献１）、又は複数個の被係合部が外向きに形成された固定板を設け、操作レバーの遊端側に、その長手方向に摺動自在なハンドルを設け、このハンドルの押し引き操作により係合具を固定板の被係合部に係脱自在に係合させるもの（特許文献２）等がある。
【特許文献１】特許第３４４８５６２号公報
【特許文献２】実公昭６３−４７２６９号公報
【発明の開示】
【発明が解決しようとする課題】
【０００４】
従来の開閉装置は、操作レバーの全体又はハンドルをその長手方向に押し引き操作して係合具を固定板の被係合部に対して係脱しているため、開閉装置が構造的に複雑になり、しかも操作レバーの長さが長くなるという問題がある。また操作レバーが長くなれば、可動ルーバーから操作レバーの突出端までの寸法が大になり、設置する際に大きなスペースを確保する必要があると共に、操作レバーが可動ルーバーから後方に大きく突出して邪魔になるという問題がある。
【０００５】
本発明は、このような従来の問題点に鑑み、全体の構造を簡単かつ小型化でき、しかも操作レバーが極力邪魔にならず、設置スペースを少なくできる可動ルーバーの開閉装置を提供することを目的とする。
【課題を解決するための手段】
【０００６】
本発明は、操作レバー１２の回動操作により、複数個の可動ルーバー９をその支軸１０廻りに開閉するようにした可動ルーバーの開閉装置において、複数個の前記可動ルーバー９の内の何れかに前記操作レバー１２を固定し、前記支軸１０廻りの円周上に周方向に所定間隔をおいて複数個の被係合部３５を有する固定板３２を設け、前記操作レバー１２に前記支軸１０と略平行に保持筒３３を設け、該保持筒３３内に、前記支軸１０と略平行な方向から前記被係合部３５に係脱自在に係合する係合具３４と、該係合具３４の外周に套嵌され且つ該係合具３４を係合方向に付勢するコイルバネ３６とを設け、前記保持筒３３に対して前記固定板３２と反対側で前記係合具３４の軸心上に、該係合具３４をその軸心方向に係脱操作するための操作摘まみ３７を設けたものである。
【０００７】
前記可動ルーバー９の端部に装着されたホルダー１６よりも内側で且つ該ホルダー１６の近傍において前記可動ルーバー９の後側面に前記操作レバー１２を固定してもよい。前記可動ルーバー９の両側に、前記各可動ルーバー９を連動させる連動杆１３を設けてもよい。前記可動ルーバー９の左右両端部に位置変更可能な取り付けブラケット５４と、該取り付けブラケット５４に左右反転して取り付け可能な前記操作レバー１２と、固定側に左右反転して取り付け可能な前記固定板３２とを含めてもよい。
【発明の効果】
【０００８】
本発明では、全体の構造を簡単かつ小型化でき、しかも操作レバーが極力邪魔にならず、設置スペースを少なくできる。
【発明を実施するための最良の形態】
【０００９】
以下、本発明の実施例を図面に基づいて詳述する。図１乃至図１２は自由支柱タイプの可動ルーバー式フェンスに採用した第１の実施例を例示する。この可動ルーバー式フェンスは左右略対称であって、図２に示すように横長矩形状の支持枠１と、この支持枠１の内部で中縦框２の左右両側に組み込まれた左右２組のルーバー群３とを備え、その支持枠１が左右方向の任意の位置に配置された複数本の支柱４に取り付けられている。
【００１０】
支持枠１は、上下両側に平行に配置された上下一対の横框５と、この両横框５間の左右両端に設けられた左右一対の縦框６と、両横框５間の左右中央に設けられた１本の中縦框２とにより構成され、上下の横框５が取り付け金具７を介して各支柱４に固定されている。
【００１１】
左右の各ルーバー群３は、図３及び図４に示すように上下両端側の固定ルーバー８と、その中間の複数個の可動ルーバー９とを備え、各ルーバー８，９は上下方向に略等間隔をおいて左右方向に平行に配置されている。そして、各固定ルーバー８は支持枠１の上下両側の横框５に近接して左右の縦框２，６に固定されている。また各可動ルーバー９は左右両端で左右の縦框２，６に対して水平方向の支軸１０廻りに開閉自在に枢支され、中縦框２側の後部に配置された開閉装置１１の操作レバー１２の回動操作により、各ルーバー群３毎に連動杆１３を介して閉位置と開位置との間で複数の角度位置に段階的に開閉操作可能である。
【００１２】
各ルーバー８，９は、図５及び図６に示すように左右方向に長い中空状の羽根体１５と、この羽根体１５の左右両端を覆う一対のホルダー１６とを備えている。羽根体１５は上下両側に略平行に形成された板状の上羽根部１７及び下羽根部１８と、この上羽根部１７及び下羽根部１８間に形成され且つ下羽根部１８側が薄くなるようにその前壁１９ａと後壁１９ｂがＶ字状の交差方向に形成された中空部１９と、この中空部１９と上羽根部１７との間に形成され且つ中空部１９内の三角形状の中空孔１９ｃ側に開口する凹入状のネジ螺合部２０とを一体に備えている。
【００１３】
ホルダー１６は合成樹脂製であって、このホルダー１６には、図７及び図８に示すように可動ルーバー９に使用する可動用と、図９及び図１０に示す固定ルーバー８に使用する固定用とがある。可動用、固定用を問わず、各ホルダー１６はルーバー８，９の端面側を塞ぐ側壁部２１と、この側壁部２１の一側から突出して一体に形成され且つ羽根体１５の端部の表面形状に沿って外嵌する外嵌部２２と、側壁部２１の一側から突出して一体に形成され且つルーバーの中空孔１９ｃに圧入される圧入突部２３と、ネジ螺合部２０に対応して側壁部２１に形成されたネジ挿通孔２４とを有する。圧入突部２３は、中空部１９の前壁１９ａ及び後壁１９ｂと略平行な前壁２３ａ及び後壁２３ｂを有する筒状であって、その前壁２３ａ及び後壁２３ｂには、中空部１９の前壁１９ａ及び後壁１９ｂに圧接する周方向に複数個（例えば３本）の突条２３ｃが圧入方向（左右方向）に形成されている。
【００１４】
可動用のホルダー１６は、外嵌部２２から上斜め後方に傾斜する連動レバー２５を一体に備え、その連動レバー２５の先端部に、外嵌部２２等と反対の外側へと突出する連動ピン２６が一体に形成されている。そして、可動ルーバー９は、ネジ挿通孔２４に外側から挿通されてネジ部１０ａがネジ螺合部２０に螺合する支軸１０により、左右の縦框２，６に閉位置（図３の実線状態）と開位置（図３の２点鎖線状態）との間で回転自在に支持されている。支軸１０は開閉時に各可動ルーバー９の後端が支持枠１の横框５から後方に突出しない位置に設けられている。
【００１５】
固定用のホルダー１６は、図９及び図１０に示す示す側壁部２１から外嵌部２２、圧入突部２３と反対の外側へと突出する取り付けピン２７が一体に形成されている。そして、固定ルーバー８は、ネジ挿通孔２４に外側から挿通されて固定ルーバー８のネジ螺合部２０に螺合された取り付けピン２８と、ホルダー１６の取り付けピン２７とにより、上羽根部１７が後側となり下羽根部１８が前側となるように、左右両端が左右の縦框２，６に固定されている。
【００１６】
連動杆１３は各縦框２，６の後側でルーバー群３側の端部近傍に略平行に上下方向に配置され、可動用の各ホルダー１６にその連動ピン２６を介して連結されている。なお、連動ピン２６は別体でもよいし、他のピン、リベット等で形成してもよい。各縦框２，６にはルーバー群３側に向かって左右方向の内向きに開放する断面Ｌ字状のカバー部３０が上下方向に一体に形成されており、このカバー部３０内に各連動杆１３が上下方向に配置され外側から覆われている。カバー部３０の上下両端部には、その端部に外嵌して小口側を覆うキャップ３１がネジ３１ｃ、リベット等の固定具で固定されている。
【００１７】
キャップ３１は図３、図１１に示すように小口に対応する端板部３１ａと、この端板部３１ａの３辺に一体に形成され且つ前側が開放するコ字状の覆い部３１ｂとを有し、その１辺の覆い部３１ｂによりカバー部３０の開放側を閉鎖して連動杆１３の上下の各端部を覆っている。なお、覆い部３１ｂの上下方向の長さは、連動杆１３が上下に移動した場合にも、その端部が露出しない程度になっている。
【００１８】
各ルーバー群３の開閉装置１１は、図１、図３、図４及び図１１に示すように、中縦框２側で各ルーバー群３と中縦框２とに跨がって設けられ、左右方向に近接して左右略対称に構成されている。各開閉装置１１は複数個の可動ルーバー９の内、例えば上下方向の略中央部の可動ルーバー９等、その何れか１個の可動ルーバー９の後側面に固定された操作レバー１２と、この操作レバー１２に対応して中縦框２に固定された固定板３２と、操作レバー１２の後端部の一側面に、固定板３２側に突出して支軸１０と略平行に左右方向に固定された保持筒３３と、この保持筒３３に左右方向に摺動自在に挿入され且つ左右方向に摺動により固定板３２側の被係合部３５に係脱自在に係合する係合具３４と、この係合具３４を係合方向に付勢するコイルバネ３６と、保持筒３３に対して固定板３２と反対側で係合具３４の軸心上に固定され且つ係合具３４をその左右方向（軸心方向）に係脱操作するための操作摘まみ３７とを備えている。
【００１９】
操作レバー１２は可動ルーバー９に沿ってＬ字状に屈曲する取り付け基部３８を有し、この取り付け基部３８が左右方向の長孔３９と、これに挿通された２本（複数本）のネジ４０とにより、可動ルーバー９の中縦框２側近傍でその中空部１９等に左右方向に位置調整可能に固定され、可動ルーバー９のホルダー１６よりも内側で且つホルダー１６の近傍において可動ルーバー９の後面側に配置されている。なお、操作レバー１２は、図３に示すように可動ルーバー９を閉位置にしたときに、この可動ルーバー９から斜め上方に傾斜状に伸びている。保持筒３３は円筒状であって、操作レバー１２の固定板３２側の一側面に固定されている。
【００２０】
２個の固定板３２はその取り付け基部４１を介して連結されたＵ字状の屈曲板４２により構成されている。Ｕ字状の屈曲板４２は、取り付け基部４１の上下方向の長孔４３に挿通された２本（複数本）のネジ４４により、各固定板３２が各カバー部３０に対して左右方向の内側から当接又は近接した状態で、取り付け基部４１が中縦框２の左右のカバー部３０間の後面に上下方向に位置調整可能に固定されている。
【００２１】
なお、各開閉装置１１の固定板３２は、Ｕ字状の屈曲板４２で構成されているため、上下方向及び左右方向の略同一位置で中縦框２の後面に固定された取り付け基部４１の両側に配置され、その両側から後方に屈曲して起立している。
【００２２】
固定板３２は後端側の周縁部が支軸１０廻りの円弧状になっており、カバー部３０よりも後側の周縁部近傍には、支軸１０廻りの円周上に周方向に所定間隔をおいて６〜７個程度の複数個の被係合部３５が形成されている。各被係合部３５は固定板３２のプレス加工、その他により操作レバー１２側に突出して形成されている。被係合部３５は、例えば図１２（Ａ）に示すように球面部３５ａの基部側外周に左右方向に短い円筒面部３５ｂを有する形状に構成してもよいし、図１２（Ｂ）に示すようにネジ３５ｃにより固定された六角袋ナット等のナット３５ｄにより構成してもよい。ナット３５ｄは固定板３２に挿通されたネジ３５ｃに螺合して固定板３２に固定されている。また被係合部３５は、リベット、ピン、ネジの頭部等で構成してもよい。
【００２３】
係合具３４は例えば円柱状で、保持筒３３内に左右方向に摺動自在に挿入されている。そして、この係合具３４は、固定板３２の被係合部３５に対して係脱自在に外嵌する係合部３４ａが固定板３２側の先端に凹入状に形成され、また反対側に保持筒３３から操作レバー１２を貫通して突出する軸部３４ｂが設けられ、この軸部３４ｂの突出端側に略同心状に操作摘まみ３７が螺合等により着脱自在に固定されている。コイルバネ３６は、係合具３４の段部３４ｃと操作レバー１２との間で軸部３４ｂに套嵌されている。
【００２４】
この可動ルーバー式フェンスにおいて、各ルーバー群３毎に開閉装置１１があり、各ルーバー群３の可動ルーバー９は通常、操作レバー１２の係合具３４を固定板３２の適宜位置の被係合部３５に係合することにより、所定の開閉位置で回転しないように固定されている。可動ルーバー９は、各開閉装置１１の操作レバー１２を回動操作することにより、フェンス内外の状況等に応じて各ルーバー群３毎に個別に開閉できる。また左右の開閉装置１１が中縦框２側にあり、出隅、入隅等の場合でも、その隅から離れた位置に開閉装置１１があるため、各可動ルーバー９を容易に開閉できる。
【００２５】
例えば、可動ルーバー９を閉状態から開放する場合には、先ず操作摘まみ３７を把持しコイルバネ３６に抗して係合具３４を離脱方向（図１１のａ矢示方向）へと引っ張る。すると係合具３４がコイルバネ３６に抗して保持筒３３内を離脱方向に摺動し、先端の係合部３４ａが固定板３２の被係合部３５から離脱する。
【００２６】
次に操作摘まみ３７を把持したままで、操作レバー１２を支軸１０廻りに開方向へと図３のｂ矢示方向に回動操作する。すると操作レバー１２が固定された１個の可動ルーバー９が支軸１０廻りにｂ矢示方向へと回転する。またこの１個の可動ルーバー９の回転に伴って、その両端に連動レバー２５を介して連結された左右の連動杆１３が支軸１０廻りに下降方向に作動する。このため左右の連動杆１３に連動レバー２５を介して連結された他の各可動ルーバー９が、操作レバー１２により直接操作される可動ルーバー９と略同一角度だけ各支軸１０廻りに開方向へと夫々回転する。
【００２７】
そして、各可動ルーバー９が所定角度になれば、その位置で操作摘まみ３７に対する引っ張り力を解除すると、コイルバネ３６の付勢により係合具３４が保持筒３３内で固定板３２側へと反ａ矢示方向へと摺動して、その係合部３４ａが固定板３２の適当位置の被係合部３５に係合して操作レバー１２を固定する。これで各可動ルーバー９をその開位置で固定できる。
【００２８】
この実施例では、複数個の可動ルーバー９から成りルーバー群３を支持枠１内で中縦框２の両側に配置しているため、ルーバー群３毎に独立するものに比較して施工が容易であると同時に、フェンス全体のデザイン性も向上する。各可動ルーバー９の支軸１０は、開閉時にその後端が支持枠１の横框５から後方に突出しない位置にあるため、横框５の左右方向の中間で支持枠１を支柱４に取り付けることができる。このため可動ルーバー式フェンスであるにも拘わらず、施工現場の状況に応じて任意の位置に支柱４を配置することが可能である。
【００２９】
また各ルーバー群３毎に可動ルーバー９を開閉する各開閉装置１１は、複数個の可動ルーバー９の内、その何れか１個に操作レバー１２を固定する一方、支軸１０廻りの円周上に複数個の被係合部３５を有する固定板３２を設け、操作レバー１２の遊端側に、操作摘まみ３７の操作により支軸１０と略平行な方向に移動して被係合部３５に係脱自在に係合する係合具３４を設けているため、操作レバー１２の長手方向の操作により係合部３４ａを係脱する場合に比較して、操作レバー１２の突出端までの長さを短くでき、開閉装置１１全体を小型化できる。従って、設置に際して大きなスペースを確保する必要がなくなると共に、操作レバー１２が可動ルーバー９から後方に大きく突出して邪魔になるという問題もない。
【００３０】
各開閉装置１１の操作レバー１２を開閉位置で係脱自在に固定する各固定板３２は、上下方向及び左右方向の略同一位置で中縦框２の後面に固定された取り付け基部４１の両側に配置しており、各開閉装置１１に共通な１個の取り付け基部４１の両側から後方へと起立しているので、両開閉装置１１を狭い中縦框２の後部に簡単な構造で効率的に配置できる。
【００３１】
しかも、係合具３４が支軸１０と略平行な方向に移動して固定板３２の被係合部３５に係脱するようにしているが、複数個の可動ルーバー９の内の何れかの可動ルーバー９に操作レバー１２を固定しているので、中縦框２側に操作レバー１２を枢支する場合に比較して構造が簡単であり、固定板３２の取り付け構造と相まって中縦框２側の左右幅を小さくできると同時に、固定板３２と操作レバー１２との間の間隔が確保し易くなり、保持筒３３内に係合具３４、コイルバネ３６を容易に組み込むことができる。
【００３２】
更に被係合部３５に対して係脱自在に係合する係合具３４と、この係合具３４を係合方向に付勢するコイルバネ３６とを操作レバー１２の遊端側の保持筒３３内に設けると共に、係合具３４の固定板３２と反対側に操作摘まみ３７を設けているので、構造的にも簡単であり、しかも操作摘まみ３７による係合具３４の係脱操作を容易にできる。また操作レバー１２が固定された可動ルーバー９と、他の可動ルーバー９とを左右両側の連動杆１３で連動させているため、操作レバー１２から１個の可動ルーバー９を介して両側の連動杆１３により他の可動ルーバー９を両側から操作でき、各可動ルーバー９を円滑に開閉できる。
【００３３】
各連動杆１３は縦框６と一体のカバー部３０内にあり、またそのカバー部３０の上下両端を覆うキャップ３１を設け、連動杆１３の上下両端をカバー部３０の開放側で覆う覆い部３１ｂを各キャップ３１に設けているので、縦框６の後側に連動杆１３があるにも拘わらず、見栄えを良好にできると共に、連動杆１３、カバー部３０等による怪我を防止できる。しかもキャップ３１はコ字状の覆い部３１ｂを有し、その１辺で連動杆１３の端部を覆うだけでなく、カバー部３０の端部側を三方から覆っているので、開放側が異なる左右二種類のカバー部３０に兼用できると共に、見栄えも更に良好にできる。
【００３４】
羽根体１５の両端にホルダー１６を装着して各ルーバー８，９を組み立てる場合、ホルダー１６の圧入突部２３を突条２３ｃを介してルーバー８，９の中空部１９の中空孔１９ｃ内に圧入する。このとき中空部１９及び圧入突部２３の前壁１９ａ，２３ａと後壁１９ｂ，２３ｂとが共にＶ字状となっているため、そのＶ字状の斜面に押圧されて中空孔１９ｃ内で圧入突部２３が相対的にネジ螺合部２０側へと移動しようとする。しかし、羽根体１５の外周にホルダー１６の外嵌部２２が被さっており、下羽根部１８の先端が外嵌部２２の先端内周部に当接するため、羽根体１５とホルダー１６との相対移動を規制でき、ホルダー１６を容易且つ確実に羽根体１５に固定できる。
【００３５】
図１３〜図１８は間柱タイプの可動ルーバー式フェンスに採用した第２の実施例を例示する。この可動ルーバー式フェンスは、図１３及び図１４に示すように、支持枠１内の上下に設けられた上下一対の固定ルーバー８と、この固定ルーバー８間に設けられ且つ支軸１０廻りに開閉自在に支持された可動ルーバー９とを有し、その可動ルーバー９が開閉操作装置の操作レバー１２の回動操作により開閉可能である。
【００３６】
支持枠１の上下の横框５は、図１４に示すように相対向する側に左右方向の溝５ａを有し、その溝５ａに固定ルーバー８の一部が嵌め込まれている。支持枠１の左右の縦框６は、図１５に示すように相対向する側の上下方向の溝６ａに嵌合する支持部材４５を有し、左右の縦框６の支持部材４５に固定ルーバー８の両端がネジ等で固定され、可動ルーバー９の両端が支軸１０により開閉自在に枢着されている。
【００３７】
固定ルーバー８、可動ルーバー９は、図１７及び図１８に示すように、左右方向に長い中空状の羽根体１５と、この羽根体１５の左右両端を覆う一対のホルダー１６とにより構成されている。羽根体１５は断面形状が略菱形の中空状であって、合成樹脂製の装飾部材４６と、その内部に挿通された型材等の補強部材４７とを備えている。
【００３８】
ホルダー１６は合成樹脂製である。例えば可動用のホルダー１６は、可動ルーバー９の端面側を塞ぐ側壁部２１と、この側壁部２１の可動ルーバー９側に突出して形成され且つ補強部材４７の中空孔４７ｃに嵌合する嵌合突部４８と、嵌合突部４８と反対の外側に突出して形成された支軸１０と、側壁部２１の上部側から後側に突出する連動レバー２５とを一体に備えている。
【００３９】
そして、可動用のホルダー１６は、補強部材４７の２個のネジ螺合部４９に螺合するネジ５０により羽根体１５に固定され、またその支軸１０は支持部材４５に回転自在に挿入されている。左右の各ホルダー１６の連動レバー２５は、後端の連動ピン２６を介して上下方向の各連動杆１３に連結され、また連動杆１３は各支持部材４５の後側近傍に上下方向に配置されている。なお、固定ルーバー８は直接ネジ等で支持部材４５に固定してもよいが、固定用のホルダー１６を介して支持部材４５に固定する場合には、支軸１０、連動レバー２５のないものを使用すればよい。
【００４０】
開閉装置１１は左右方向の一方側で縦框６と１個の可動ルーバー９とに対応して設けられている。開閉装置１１は、図１４〜図１６に示すように、操作レバー１２、固定板３２、保持筒３３、係合具３４、コイルバネ３６、操作摘まみ３７等を備えている。操作レバー１２は取り付けブラケット５４のレバー取り付け部５４ａにネジ１２ａにより着脱自在に固定されている。取り付けブラケット５４は後ろ斜め上方に傾斜するレバー取り付け部５４ａと、このレバー取り付け部５４ａからＬ字状に屈曲する取り付け基部５４ｂを有し、その取り付け基部５４ｂが左右方向の長孔５５と、これに挿通された２本（複数本）のネジ５６とにより、可動ルーバー９の一端部に左右方向に位置調整可能に固定されている。
【００４１】
固定板３２はＬ字状に屈曲する取り付け基部４１を有し、その取り付け基部４１が上下方向の長孔４３と、これに挿通された２本（複数本）のネジ４４とにより縦框６の後側に上下方向に位置調整自在に固定されている。
【００４２】
取り付けブラケット５４は、図１５に実線及び２点鎖線で示すように、その取り付け姿勢を変更することなく必要に応じて可動ルーバー９の左右両端部に位置を変えて取り付け可能である。また操作レバー１２は取り付けブラケット５４の取り付け位置に応じて、保持筒３３、係合具３４、操作摘まみ３７等が左右反転するように、その取り付けブラケット５４に対して左右反転して取り付け可能である。固定板３２は、取り付けブラケット５４の取り付け位置に応じて、左右の縦框６に対して左右反転して取り付け可能である。
【００４３】
可動ルーバー９の略中央に支軸１０があり、可動ルーバー９が開放したときにその一部が横框５から後方に突出するため、支持枠１の左右の縦框６を介して支柱４に取り付けられている。他の構成は第１の実施例と略同じである。
【００４４】
この場合にも、開閉装置１１の操作レバー１２を操作することにより、可動ルーバー９を支軸１０廻りに開閉できる。またこの実施例では、可動ルーバー式フェンスの設置位置の条件を考慮して、開閉装置１１は左右の何れにも配置できる。例えば、図１５に実線で示す位置の開閉装置１１を、２点鎖線で示すように反対側に変更する場合には、固定板３２を縦框６に対して左右逆向きに固定する。また取り付けブラケット５４は、そのままの姿勢で可動ルーバー９の左端近傍から右端近傍に取り付け位置を変更して、その取り付けブラケット５４のレバー取り付け部５４ａに操作レバー１２を逆向きに取り付ける。従って、開閉装置１１は使い勝手等に応じて左右の何れにも自在に配置できる。しかも左用、右用の部品を準備する必要がなく、部品点数を少なくできる。
【００４５】
なお、固定板３２、取り付けブラケット５４を固定するためのネジ４４，５６を挿通する孔は、可動ルーバー９の左右両側、左右の各縦框６に予め設けておく必要はなく、施工時に適宜穿孔するか、タッピングネジを使用して夫々を固定すればよい。
【００４６】
図１９は本発明の第３の実施例を例示する。この開閉装置１１は、固定板３２の隣り合う被係合部３５間の間隔を係合具３４の外径と略同等又は係合具３４の外径よりも若干大にして、係合具３４が隣り合う被係合部３５間で両側の被係合部３５にも係合するように構成されている。他の構成は第２の実施例と略同じである。
【００４７】
このようにすれば、固定板３２の被係合部３５が複数個のＮ個ある場合、Ｎ＋（Ｎ−１）の位置で操作レバー１２を固定できるので、被係合部３５の数を少なくしながらその２倍近い段階に可動ルーバー９の角度を調整できる。なお、第１の実施例の自由支柱タイプの場合にも同様に採用可能である。
【００４８】
図２０は本発明の第４の実施例を例示する。この開閉装置１１は、固定板３２と操作レバー１２とが近接して配置され、操作レバー１２の固定板３２と反対側に有底筒状の保持筒３３が設けられている。そして、係合具３４の軸部３４ｂが保持筒３３の底部３３ａの孔を貫通して固定板３２と反対側に突出し、その端部に操作摘まみ３７が設けられている。他の構成は第２の実施例と略同じである。
【００４９】
この場合には、固定板３２の近傍に操作レバー１２があり、操作レバー１２を可動ルーバー９の端部近傍に配置できるため、可動ルーバー９に操作レバー１２を固定しているにも拘わらず、可動ルーバー９の負担を軽減できる。しかも操作レバー１２と操作摘まみ３７との間の間隔を確保できるので、操作摘まみ３７の把持も容易である。なお、第１の実施例の自由支柱タイプの場合にも同様に採用可能である。
【００５０】
図２１、図２２は本発明の第５の実施例を例示する。この開閉装置１１は、固定板３２の被係合部３５が丸孔等の被係合孔により形成され、その被係合部３５に係合具３４の係合部３４ａが係脱自在に係合している。係合具３４は先端側の係合部３４ａと、その反対側の軸部３４ｂとを有し、保持筒３３に対して固定板３２と反対側で係合具３４の軸心上に球状の操作摘まみ３７が固定されている。このように被係合部３５を被係合孔により構成し、その被係合部３５に係合具３４が係脱自在に係合するようにしてもよい。他の構成は第１の実施例と同じである。
【００５１】
図２３、図２４は本発明の第６の実施例を例示する。この開閉装置１１も、第５の実施例と同様に固定板３２の被係合部３５が丸孔等の被係合孔により形成され、その被係合部３５に係合具３４の係合部３４ａが係脱自在に係合している。係合具３４は係合部３４ａと反対側の軸部３４ｂの先端にメネジ部３４ｄを有し、操作レバー１２に固定された保持筒３３に挿脱自在に挿入されている。なお、保持筒３３は操作レバー１２の側面に固定してもよいが、操作レバー１２を貫通して固定されている。
【００５２】
取り付けブラケット５４のレバー取り付け部５４ａには保持筒３３の軸心上に通孔５４ｃが形成され、この通孔５４ｃに係合具３４の軸部３４ｂが挿通されている。そして、取り付けブラケット５４のレバー取り付け部５４ａに対して操作レバー１２と反対側でメネジ部３４ｄに球状の操作摘まみ３７のネジ部３７ａが着脱自在に螺合されて固定されている。コイルバネ３６は係合具３４の段部３４ｃと取り付けブラケット５４のレバー取り付け部５４ａとの間に介在されている。他の構成は第２の実施例と同じである。
【００５３】
この場合にも、開閉装置１１は図２３に実線と二点鎖線とで示すように左右の何れにも配置可能であり、位置の変更に際しても第２の実施例と同様に部品を兼用できる。特に係合具３４の軸部３４ｂが取り付けブラケット５４のレバー取り付け部５４ａの通孔５４ｃを貫通しているが、操作摘まみ３７が軸部３４ｂに対して着脱自在であるため、この操作摘まみ３７を取り外すことにより、操作レバー１２側を左右に反転させて使用することができる。
【００５４】
以上、本発明の各実施例について詳述したが、本発明はこれらの実施例に限定されるものではなく、その他種々の態様で実施することができる。例えば、実施例では、複数個の可動ルーバー９の上下両側に固定ルーバー８を備えたものを例示しているが、固定ルーバー８のないものでもよいし、適当数の固定ルーバー８と可動ルーバー９とを交互に組み合わせて配置したものでもよい。更に上下の上半分を固定ルーバー８又は可動ルーバー９とし、下半分を可動ルーバー９又は固定ルーバー８としてもよい。また可動ルーバー９は横方向の支軸１０廻りに開閉するようにしているが、上下方向、斜め方向の支軸１０廻りに開閉するようにしてもよい。
【００５５】
操作レバー１２は複数個の可動ルーバー９を略平行に配置する場合に、その上端又はその近傍にある１個の可動ルーバー９に固定する等、一端又はその近傍の可動ルーバー９に設けてもよい。保持筒３３は操作レバー１２を貫通して支軸１０と略平行な方向の両側に突出するように設けてもよい。
【００５６】
操作レバー１２、固定板３２、取り付けブラケット５４等を固定する固定手段は、ネジ式が一般的であるが、リベット、その他のものを利用してもよい。また実施例に例示する可動ルーバー式フェンスの他、間仕切り、雨戸、ドアの窓、天窓等の各種の可動ルーバーにおいても同様に実施可能であり、フェンス用に限られるものではない。
【図面の簡単な説明】
【００５７】
【図１】本発明の第１の実施例を示す可動ルーバー式フェンスの開閉装置の一部破断平面図である。
【図２】本発明の第１の実施例を示す可動ルーバー式フェンスの正面図である。
【図３】本発明の第１の実施例を示す可動ルーバー式フェンスの要部の側面断面図である。
【図４】本発明の第１の実施例を示す可動ルーバー式フェンスの要部の平面断面図である。
【図５】本発明の第１の実施例を示す可動ルーバーの要部の断面図である。
【図６】本発明の第１の実施例を示す可動ルーバーの要部の側面断面図である。
【図７】本発明の第１の実施例を示す可動用ホルダーの一部破断正面図である。
【図８】本発明の第１の実施例を示す可動用ホルダーの側面図である。
【図９】本発明の第１の実施例を示す固定ルーバーの要部の断面図である。
【図１０】本発明の第１の実施例を示す固定用ホルダーの側面図である。
【図１１】本発明の第１の実施例を示す開閉装置の一部破断背面図である。
【図１２】本発明の第１の実施例を示す被係合部の説明図である。
【図１３】本発明の第２の実施例を示す可動ルーバー式フェンスの正面図である。
【図１４】本発明の第２の実施例を示す可動ルーバー式フェンスの要部の側面断面図である。
【図１５】本発明の第２の実施例を示す可動ルーバー式フェンスの要部の平面断面図である。
【図１６】本発明の第２の実施例を示す開閉装置の背面図である。
【図１７】本発明の第２の実施例を示す可動ルーバーの要部の断面図である。
【図１８】本発明の第２の実施例を示す可動ルーバーの要部の側面断面図である。
【図１９】本発明の第３の実施例を示す開閉装置の一部破断平面図である。
【図２０】本発明の第４の実施例を示す開閉装置の一部破断平面図である。
【図２１】本発明の第５の実施例を示す開閉装置の一部破断平面図である。
【図２２】本発明の第５の実施例を示す開閉装置の一部破断背面図である。
【図２３】本発明の第６の実施例を示す開閉装置の一部破断平面図である。
【図２４】本発明の第６の実施例を示す開閉装置の一部破断背面図である。
【符号の説明】
【００５８】
１  支持枠
２  中縦框
３  ルーバー群
９  可動ルーバー
１０  支軸
１１  開閉装置
１２  操作レバー
１３  連動杆
３０  カバー部
３２  固定板
３３  保持筒
３４  係合具
３５  被係合部
３６  コイルバネ
３８  取り付け基部
５４  取り付けブラケット
【図１】
2006274558.tif 000003
【図２】
2006274558.tif 000004
【図３】
2006274558.tif 000005
【図４】
2006274558.tif 000006
【図５】
2006274558.tif 000007
【図６】
2006274558.tif 000008
【図７】
2006274558.tif 000009
【図８】
2006274558.tif 000010
【図９】
2006274558.tif 000011
【図１０】
2006274558.tif 000012
【図１１】
2006274558.tif 000013
【図１２】
2006274558.tif 000014
【図１３】
2006274558.tif 000015
【図１４】
2006274558.tif 000016
【図１５】
2006274558.tif 000017
【図１６】
2006274558.tif 000018
【図１７】
2006274558.tif 000019
【図１８】
2006274558.tif 000020
【図１９】
2006274558.tif 000021
【図２０】
2006274558.tif 000022
【図２１】
2006274558.tif 000023
【図２２】
2006274558.tif 000024
【図２３】
2006274558.tif 000025
【図２４】
2006274558.tif 000026